(57)【要約】【課題】魔鏡現象が出現し、いろいろな用途に使用できる魔鏡体の提供を目的とする。【解決手段】透光体の表面に魔鏡現象が出現する微細な凹凸構造部を有していることを特徴とする。【選択図】  図１
2019207386.tif 000002
【特許請求の範囲】
【請求項１】
透光体の表面に魔鏡現象が出現する微細な凹凸構造部を有していることを特徴とする魔鏡体。
【請求項２】
相互に屈折率の異なる複数の透光体を積層してあり、
前記透光体の積層面に魔鏡現象が出現する微細な凹凸構造部を有していることを特徴とする請求項１記載の魔鏡体。
【請求項３】
前記透光体の外側の一方の面に反射層を形成したことを特徴とする請求項１又は２記載の魔鏡体。
【発明の詳細な説明】
【技術分野】
【０００１】
本発明は太陽光線等の平行光線を透過させる、又は反射させることで魔鏡現象が出現する魔鏡体に関する。
【背景技術】
【０００２】
従来から裏側の面に彫刻等が施され、その反対側の表面を鏡面に仕上げ、光を反射させると、この反射光に裏面の彫刻模様が写し出される魔鏡が知られている。
このような魔鏡は表面を鏡面に磨き上げる際に、裏面の彫刻模様がこの鏡面に微細な凹凸模様として反映されることで、目視では認識できないが、反射光にはその模様、絵柄が投影されるものである。
従来の魔鏡の製造方法にあっては、専門的な職人により一つ一つ丁寧に製造されたものであり、数多く生産するには向かない。
そこで、これまでにレーザー光線や電子ビーム等を用いて魔鏡現象が発現する歪みや窪みを形成する方法（特許文献１）、あるいは電鋳により凹凸を形成する方法（特許文献２）等が提案されている。
また、エッチング等の薬剤処理にて各種図柄を腐食加工を施す方法（特許文献３）が提案されている。
しかし、それでも生産性に優れるものではない。
【先行技術文献】
【特許文献】
【０００３】
【特許文献１】特開平６−１４８４１１号公報
【特許文献２】特開平９−１９１９８８号公報
【特許文献３】特開平３−１５４１５号公報
【発明の概要】
【発明が解決しようとする課題】
【０００４】
本発明は、魔鏡現象が出現し、いろいろな用途に使用できる魔鏡体の提供を目的とする。
【課題を解決するための手段】
【０００５】
本発明に係る魔鏡体は、透光体の表面に魔鏡現象が出現する微細な凹凸構造部を有していることを特徴とする。
透光体の表面に微細な凹凸構造部を有すると、空気中から透光体に向けて入射した平行光線は、この凹凸構造部で光路が僅かに変化することで、透過光が写し出されたスクリーン等に像として出現する。
本発明において、相互に屈折率の異なる複数の透光体を積層してあり、前記透光体の積層面に魔鏡現象が出現する微細な凹凸構造部を有していてもよい。
この場合も太陽光等の平行光線を透過させることで、透過光に模様や図柄が投影される。
また、透光体の外側の一方の面に反射層を形成してあると一旦、透光体を通過した光が反射層にて反射することで、その反射光にその模様等が投影される。
【０００６】
本発明において魔鏡現象が出現するとは、透光体に形成された微細な凹凸構造体が目視では通常認識できないが、平行光線を透過させると、あるいは反射させると、この凹凸構造部により形成した所定の模様や図柄等が投影像として写し出されることをいう。
【０００７】
本発明における透光体は、無色透明のみならず有色透明であってもよく、材質も樹脂材、ガラス材等のいずれでもよい。
形状もシート体のような平面的でも、三次元的な立体構造でもよい。
また、積層される透光体の数に制限はない。
【発明の効果】
【０００８】
本発明は、透光体の表面に微細な凹凸構造にて模様や図柄を形成することで、透光体の外側から太陽光のような平行光線をこの微細な凹凸構造部に向けて照射すると、光路に僅かな変化が生じる。
また、相互に屈折率の異なる透光体の積層面に微細な凹凸構造部を形成すると、この積層体に平行光線を透過させるだけで模様等が投影される。
また、反射層を形成すると反射光にて模様等を投影させることができる。
【０００９】
これにより本発明に係る魔鏡体は、いろいろな用途に使用できる。
例えば、コップやグラス等の透明な容器の側面に、本発明に係る魔鏡体を貼り付けると、透過された光によりテーブルやカウンターに、目に見えなかった模様が写し出される。
反射層が形成されたものにあっては、鏡として使用でき、反射光にて投影された模様等を楽しむことができる。
光により目視できなかった模様等が投影されるので、いろいろな日用品，インテリア，建築材等、各種製品に展開が可能である。
【図面の簡単な説明】
【００１０】
【図１】透過光にて魔鏡現象が出現する魔鏡体の例を示す。
【図２】反射光にて魔鏡現象が出現する魔鏡体の例を示す。
【発明を実施するための形態】
【００１１】
本発明に係る魔鏡現象が出現する魔鏡体の例を以下、図に基づいて説明する。
【００１２】
図１は、相互に屈折率が異なる第１透光体１１と、第２透光体１２を積層した例を示すが、図１において第１透過体１１が空気層であっても原理的には同じであり、第２透光体の一枚からなるものでもよく、３つ以上の積層体を組み合せてもよい。
また、透光体は、無色透明，有色透明，半透明等の透光性を有するものであればよい。
また、曲げ加工できるものでもよい。
【００１３】
第１透光体１１と第２透光体１２との積層面には、平行光線により明暗の模様としてスクリーン，壁，テーブル等に投影されるための微細凹凸構造部１３を形成してある。
魔鏡現象として、投影像に明暗が出現するには、深さや幅等の大きさが０．３〜１μｍ程度の凹凸構造が好ましい。
このような微細な凹凸構造は、透光体が樹脂材である場合に、一方の透光体に母型のスタンピング等の各種方法で凹凸構造を形成し、他方の透光体を圧着させることで製作できる。
この場合に融点の低い方の透光体を加熱圧着してもよい。
【００１４】
図１に示したような積層体に平行光線からなる入射光を当てると、光は積種界面での屈折と微細な凹凸構造物による回折現象により、僅かな光路差（実線の光と点線の光）が生じ、透過された光がスクリーン等に投影されると、明暗模様として図柄等が出現する。
【００１５】
図２は、第２透光体１２の外側の面（図では下面）に反射層１４を形成した例である。
反射層１４は、金属の蒸着膜を積層してもよく、金属箔を積層してもよい。
また、板材を積層してもよい。
このようにすると、反射光に光路差が生じ、目視できなかった模様が投影像に現れる。
【符号の説明】
【００１６】
１１      第１透光体
１２      第２透光体
１３      微細凹凸構造部
１４      反射層
【図１】
2019207386.tif 000003
【図２】
2019207386.tif 000004
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
一枚のみの透光体からなり、
前記透光体の表面の空気層との界面に魔鏡現象が出現する微細な凹凸構造部を有し、平行光線を透過させると前記微細な凹凸構造部により形成された所定の模様又は図柄が投影像として写し出されることを特徴とする魔鏡体。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
一枚のみの透光体からなり、
前記透光体の表面の空気層との界面に魔鏡現象が出現する微細な凹凸構造部を有し、前記微細な凹凸構造部の凹部深さ又は凸部高さが０．３μｍ以上１μｍ未満であり、且つ前記凹部又は凸部の幅が０．３μｍ以上１μｍ未満であり、
平行光線を透過させると前記微細な凹凸構造部により形成された所定の模様又は図柄が投影像として写し出されることを特徴とする魔鏡体。